(57)【要約】
【課題】            背中を大きく開けた衣服を着用する際に、シルエットを美しく見せるブラジャーやこれを有する下着類を提供する。
同じく、よりセクシーな、よりエレガントな演出を可能とするブラジャーやこれを有する下着類を提供する。
【解決手段】        ブラジャーを有する前側部とバック部を分離し、更にバック部を着用や外出の目的、着用時の気分に応じて異なる意匠のものに取り換え可能とする。
バック部に、異なる意匠の装飾部を取り換え可能とする。
ブラジャーの前側部を肩紐無しや肩紐が取り外せるものとする。
バック部に、伸縮性ある布や複数のテープを使用する。
【選択図】          図１
0003100888.tif 000002
【実用新案登録請求の範囲】
【請求項１】
胸部周辺に着用する衣類であって、左右の乳房カップを有する前部と背中側に在るバック部の、左右両脇部に係合離脱を自在とする係合部を有し、かつバック部は異なる意匠のものを取換え可能であることを特徴とするバック部に装飾を有する衣類。
【請求項２】
胸部周辺に着用する衣類であって、カップ部を有する前部と背中側に在るバック部とが、左右両脇部にある係合部によって係合離脱が自在となされ、かつバック部は着用者の背中に位置する部分に装飾部を有し、更に該装飾部はバック部と装飾部に設けられた取付け取離しが自在なフック・アイや面ファスナー等の着脱部により異なる意匠のものを取換え可能であることを特徴とするバック部に装飾を有する衣類。
【請求項３】
前記装飾部は、バック部の着用者の背中に位置する部分の中央近傍に取付けられるものであることを特徴とする請求項２に記載のバック部に装飾を有する衣類。
【請求項４】
前記係合部は、フックとアイよりなるフック、面ファスナー、ボタン、雌雄嵌合型のホックのいずれかの係止具であることを特徴とする請求項１から３のいずれかに記載のバック部に装飾を有する衣類。
【請求項５】
前記バック部に装飾を有する衣類は、ブラジャー若しくはカップ部を有する下着であることを特徴とする請求項１から４のいずれかに記載のバック部に装飾を有する衣類。
【請求項６】
前記バック部に装飾を有する衣類は、肩紐がないブラジャー若しくは肩紐を取り外すことが可能な下着であることを特徴とする請求項１から４のいずれかに記載のバック部に装飾を有する衣類。
【請求項７】
前記係合離脱が可能若しくは取換え可能なバック部は、伸縮性の面状の布又は複数本の伸縮性テープ若しくはこれら両方を有していることを特徴とする請求項１から６のいずれかに記載のバック部に装飾を有する衣類。
【考案の詳細な説明】
【技術分野】
【０００１】
本考案は、バック部取換え型の衣類に関し、特にバック部やその要部を種々の意匠のものに取り換えて着用することができるブラジャー等のカップ部を有する下着からなる衣類に関する。
【背景技術】
【０００２】
近年の衣類の多様化の下、背中を大きく開けた衣類（アウター）が、各種のパーティのみならず夏季には若い女性の通常の外出等にも着用されるようになってきだしている。
【考案の開示】
【考案が解決しようとする課題】
【０００３】
しかしながら、それら衣類の背中部はウエスト近傍まで大きく開けられていることが多く、通常のブラジャーやその他の一般的な下着の着用では、背開きの箇所からそれら下着のバック部が見えてしまう。
【０００４】
従って、背中を大きく開けたアウターを着用するときでも、バスト部を美しく造形しながら、よりセクシーに、よりエレガントな演出が出来、背開きのアウター着用による効果を、一層引き立たせる事が出来るブラジャー等の下着の開発が望まれていた。
【０００５】
本考案は、以上の課題を解決することを目的としてなされたものであり、ブラジャー等の下着からなる衣類を左右の乳房カップ部を有する前部と、着衣者の背中の部分にあるバック部とに分割し、バック部は異なる意匠のものを取換え可能としたものである。
【課題を解決するための手段】
【０００６】
また、バック部の中央部近傍に位置する装飾部は、着脱及び取換え自在としている。
【０００７】
また、衣類はブラジャーやカップ部を有するものとする。
【０００８】
また、ブラジャーは肩紐なし若しくは肩紐が取り外せるものとしている。
【０００９】
また、バック部は伸縮性のある面状の布又は編物、織物等による複数本の伸縮性テープ（伸縮性の樹脂等による透明又は半透明のテープ等材質や巾は問わない）若しくはこれら双方を有するものとしている。そしてこれらにより、安定感を増している。また、前側部とバック部の係合部は、操作が容易かつ薄くて目立たないフックとアイよりなるフック、面ファスナー、ボタン、雌雄嵌合型のホックのいずれかとしている。
【００１０】
意匠の異なる幾つかのバック部やその装飾部を取り換えできるようにしたので、着用の目的やその日の気分に応じてよりセクシーな演出やエレガントな演出が可能となる。この一方で、前側部とバック部の係合部は薄いホック等を使用するので、体のシルエット発揮の障害にならない。
【考案の効果】
【００１１】
バック部は伸縮性のある布や複数本のテープ等により構成されており、肩紐なしのブラジャーであっても着用時の安定感は優れている。
【００１２】
また、肩紐なしや、肩紐が取り外せることで、肩紐の細いアウターや襟開きの大きなアウター、肩紐なしのアウター等への適合性が増す。
【考案を実施するための最良の形態】
【００１３】
以下、本考案をその実施形態に基づいて説明する。
【実施例１】
【００１４】
本実施の形態は、バック部が着衣状態で上下方向に５ｃｍ程度の巾の伸縮性を有する２本のテープよりなり、そのカップ部を有する前部の左右両端との係合がフックとアイからなるものである。図１から図４に本実施の形態のブラジャーを示す。図１は、左右のカップ部を有する前部、すなわち女性が胸部に装着している方向から見た図である。図２は、バック部の背面の図、したがって着用している女性の背中に接触する方向から見た図である。図３は、ブラジャーの前側部を背面側から示す図である。図４は、図２に示すバック部を背中側正面から見た図である。
【００１５】
これらの図において、１は左右の乳房カップ等を有するブラジャーの前側部である。２は、左右の乳房カップである。３は、その左右にある伸縮性の布地からなる中継部である。４は、更にその左右に在る係合離脱自在の取付部であり、４１は係合部のアイである。５１は、カップ部を有する前部における左右の乳房カップと左右の中継部及び左右の取付部の上辺部を支える支持テープであり、５２は同じく下辺部を支える支持テープである。
【００１６】
６は、バック部であり、６０は伸縮性を有する２本のテープよりなるバック部であり、６１はその背面の飾り部である。６２は、飾り部の縫い付け線である。７は、バック部の左右端にあるカップ部を有する前部との係合部であり、７１は取り付けのためのフックである。
【００１７】
図１と図２から容易に判るように、このブラジャーはブラジャーの前側部１とバック部６に分割され、着脱は両方の左右端にある取付け部４、７のアイ４１とフック７１の係合、離脱によりなされる。
【００１８】
更に、背中を大きく開けたアウターの肩部の変化、例えば、細い肩紐や大きい襟開きあるいは肩紐のないタイプのもの等に対し、肩紐なしまたは肩紐の取り外しを可能にすることで対応している。また、図２および図３に示すように、カップ部を有する前部の脇側上辺および下辺全体に張力を連続して伝えるよう、テープ５１、５２を設けており、また、バック部との係止部を上下方向に５ｃｍ程度の巾に設定するとともに、バック部に伸縮性を有する２本のテープを使用している。これらの引張力により装着者の胸部に違和感を与えることなく押圧するとともに、良好な着装状態を維持することを可能にしている。
【００１９】
この結果、各種のパーティへの出席や、外出等における通常の運動等に対しても、常に安定した着装状態を保つことを可能にしている。
【実施例２】
【００２０】
本実施の形態は、バック部の背中側の中心に花の形状をあしらう等した装飾部を面ファスナーや雌雄嵌合型のホック等（周知技術であること、装飾部の背後になることのため図示は省略する）により取付け、取外しが可能な態様で取付けるものである。また、取り付け、取り外しが可能なバック部は、伸縮性の面状の布又は複数本の伸縮性テープ若しくはこれら両方を有している複数のバックからなり、それら１個のバックに対して複数個の相互に異なる意匠の装飾部が用意され、ユーザはその日の気分等に応じて好みの装飾部を使用することになる。図５においては、図４に示すのと同じ意匠の花をあしらった装飾部８をバック部中心に取付けて着用し、かつ、背中の大きく開いたアウターを着用している女性の背面を示す。
【００２１】
以上、本考案をその実施の形態に基いて説明してきたが、本考案はなにも以上に限定されるものではない。すなわち、例えば以下のようにしていても良い。
（１）バックの背面飾り部は、直径が１／３ｍｍ以下の細い透明、肌色若しくは黒い繊維を使用し、かつ繊維全体が占める投影面積がバックの上下の輪郭線とアンダーの背中の切欠きの両端の面積の１０％以下とし、事実上、すなわち他人が１ｍ以上離れておれば通常の人の目にはつかないようにしている。
（２）ブラジャーの構造はヒモ有りとする等他の形式のものとしている。
（３）外出の目的等に応じて伸縮度の異なる、あるいは胸部への押圧力の異なるバック部を取り換えるようにしている。
【図面の簡単な説明】
【００２２】
【図１】本考案の実施の形態のブラジャーのブラジャーの前側部の正面図である。
【図２】上記実施の形態のブラジャーのバック部の背面図である。
【図３】上記実施の形態のブラジャーのブラジャー本体部の背面を示す図である。
【図４】図２に示すバック部を正面から見た図である。
【図５】上記による装飾部の取替え可能なブラジャーを着用し、背中の大きく開いたアウターを着用している女性を背面からみた図である。
【符号の説明】
【００２３】
１      左右の乳房カップを有する前部
２      カップ部
３      カップ部と係合部との中継部
４      左右の乳房カップを有する前部における左右の係合部
６      バック部
７      バック部における左右の係合部
８      装飾部
４１    アイ
５１    上辺用テープ
５２    下辺用テープ
６０    バック部の本体をなす２本のテープ
６１    バックの飾り部
７１    フック
【図１】
0003100888.tif 000003
【図２】
0003100888.tif 000004
【図３】
0003100888.tif 000005
【図４】
0003100888.tif 000006
【図５】
0003100888.tif 000007